(57)【要約】  物質内の元素の原子のエネルギーのパラメトリック共振を発生させるための方法及び装置は、機械化学の分野に関連している。この方法は、ｖ１＝４６６．９７５ｍ／ｓｅｃの周方向ロータ速度及び回転速度ｎ＝ｎ１／ｋ３／２［ｒ／ｍｉｎ］の回転励起器を用いて、大宇宙の元素の原子のボーア軌道の人工条件を作り出すとによって物質の組成中の元素を励起することに基づいており、ここで、ｎ１は、任意の元素の最初の定常軌道の電子の回転数、ｎ１＝３．８３９５４５ｅ６／Ｎｅｌ［ｒｐｍ］であり、ｋは、ロータの溝の数であり、Ｎｅｌは、物質の組成中の元素の原子番号である［ｍ］。  この方法は、物質をロータの内部空洞に供給し、これが周面上に均等に配置された溝（４）を通過し、次いで、被処理物質を放出することを含む。  装置は、ベース（１）及び側壁を含むハウジングを備えるが、一方でハウジングの内部空間は、ロータの外面、周辺環状壁（８）、入力（５）及び出力（６）分岐管に対して均等に配置された別々の溝（４）の形をとって作られる。  ロータの外側半径はＲ＝Ｒｅｌ１＊ｋであり、ここで、Ｒｅｌ１は、元素の電子の大宇宙の最初の定常軌道の半径、Ｒｅｌ１＝１．１６１４ｅ−３＊Ｎｅｌ（ｍ）であり、ここで、Ｎｅｌは、元素の原子番号であり、ｋは、ロータの溝の数であり、これは、式ｋ＝（ｎ１／ｎ）２／３によって計算され、最も近い整数値から選択され、ここで、ｎ１は、任意の元素についての大宇宙の最初の定常軌道上の電子の回転数、ｎ１＝３．８３９５４５е６／Ｎｅｌ．［ｒｐｍ］であり、ｎは、回転数であり、放射状溝の幅は、式ｈ＝３，６４８，６７７ｅ−３＊Ｎｅｌ．によって決定される。  提案された方法及び装置は、ド・ブロイの「定常波」のエネルギーと大宇宙条件での対応するボーア軌道の電磁エネルギーとの間の物質の組成中の元素の原子のパラメトリック共振を提供する。【特許請求の範囲】
【請求項１】
物質をロータ（ｒｏｔｏｒ）の内部空洞に供給し、前記ロータの周辺環状表面に沿って均等に配置された溝を通してこれを通過させ、次いで前記被処理物質を放出することを含む、回転励起器（ｒｏｔａｒｙ  ｅｘｃｉｔｅｒ）を用いて物質中の元素の原子のエネルギーのパラメトリック共振を発生させる方法であって、大宇宙（ｍａｃｒｏｃｏｓｍ）の最初の定常軌道の任意の元素の電子の円周ロータ速度が、ｖ１＝４６６．９７５ｍ／ｓであるが、一方でパラメトリック共振が、ｎ＝ｎ１／ｋ３／２［ｒｐｍ］の周波数で行われ、ここで、ｎ１は、任意の元素ｎ１＝３．８３９５４５е６／Ｎｅｌ．［ｒｐｍ］の最初の定常軌道の電子回転数であり、ｋは、前記ロータの溝の数であり、Ｎｅｌ．は、物質中の元素の原子番号であることを特徴とする、方法。
【請求項２】
前記物質の前記組成中の前記元素の前記原子番号が、メンデレーエフの周期表に従って決定されることを特徴とする、請求項１に記載の方法。
【請求項３】
前記物質の前記組成が、任意の物理的状態、すなわち固体、液体、気体を有することができることを特徴とする、請求項１に記載の方法。
【請求項４】
前記回転励起器の回転駆動のタイプが、必要とされる回転数によって決定され、機械的、電気的、又はもう１つのいずれかであることができ、所与の回転数を与えるようにしておくことを特徴とする、請求項１に記載の方法。
【請求項５】
前記物質の前記組成中の元素の前記原子のエネルギーのパラメトリック共振を発生させるための装置であり、ベースとシャフトに取り付けられる側壁とを持つハウジングを含むが、一方で前記ハウジングの前記内部空間が、前記ロータ（ｒｏｔｏｒ）の外面、周辺環状壁に対して均等に配置された別々の溝の形をとって作られ、前記装置から前記処理された物質を放出するための隙間、入口及び出口ノズル、前記ロータを所与の速度で駆動するための手段を提供する装置であって、外部ロータ半径が、Ｒ＝Ｒｅｌ．１＊ｋであり、ここで、Ｒｅｌ．１は、大宇宙（ｍａｃｒｏｃｏｓｍ）の前記元素の前記電子の最初の定常軌道の半径、Ｒｅｌ．１＝１．１６１４ｅ−３＊Ｎｅｌ．（ｍ）であり、ここで、Ｎｅｌ．は、メンデレーエフの周期表による前記元素の前記原子番号であり、ロータ溝の数は、式ｋ＝（ｎ１／ｎ）２／３によって計算され、最も近い整数値から選択され、ここで、ｎ１は、大宇宙の任意の元素の最初の定常軌道における前記電子の回転数ｎ１＝３．８３９５４５е６／Ｎｅｌ．［ｒｐｍ］であり、ｎは、ロータ回転数であり、前記半径方向溝幅は、式ｈ＝３．６４８６７７ｅ−３＊Ｎｅｌ．によって決定されること特徴とする、装置。
【請求項６】
前記ロータの内側半径（ｒ）が、推定的に特定されることを特徴とする、請求項５に記載の装置。
【請求項７】
前記ロータの前記外面とステータ（ｓｔａｔｏｒ）の周囲外壁との間の隙間が、消費された物質の妨げられていない離脱の可能性によって作られることを特徴とする、請求項５に記載の装置。
【請求項８】
前記物質が液体又は気体状態で処理される場合に、回転励起器（ｒｏｔａｒｙ  ｅｘｃｉｔｅｒ）の密封駆動装置が使用されることを特徴とする、請求項５に記載の装置。
【請求項９】
液体又は気体物質を処理する場合に、回転励起器（ｒｏｔａｒｙ  ｅｘｃｉｔｅｒ）の空間的向きが、任意であることを特徴とする、請求項５に記載の装置。
【請求項１０】
固体を処理する場合に、回転励起器（ｒｏｔａｒｙ  ｅｘｃｉｔｅｒ）の空間的向きが、好ましくは垂直であることを特徴とする、請求項５に記載の装置。
【請求項１１】
鉱物のサイズが回転励起器（ｒｏｔａｒｙ  ｅｘｃｉｔｅｒ）の溝の幅よりも大きい場合に、ロータの前記外面と前記ステータの前記周囲外面との間の隙間を通過することができることを特徴とする、請求項５に記載の装置。
【請求項１２】
前記放射状溝の高さ（Ｌ）が、前記処理された物質の最適な通過を確保できる可能性によって作られることを特徴とする、請求項５に記載の装置。
【請求項１３】
前記ロータの前記溝の深さが、外半径（Ｒ）と内半径（ｒ）との間の差によって決定されることを特徴とする、請求項５に記載の装置。
【請求項１４】
周辺環状壁としての液体及び気体物質の組成中の元素の励起が、たとえば、前記物質を持つタンク又はパイプラインの外側ケーシングを使用することを特徴とする、請求項５に記載の装置。
【発明の詳細な説明】
【技術分野】
【０００１】
本発明は、機械化学の分野、特に、大宇宙（ｍａｃｒｏｃｏｓｍ）の元素の原子のボーア軌道の人工条件を作り出すことによる、固体、液体、及び気体物質の元素の選択的励起に関し、国家経済のさまざまな分野、特に、石油からの硫黄の除去、鉱業及び冶金における鉱石からの鉱物の選択的濃縮、農業における鉱物肥料の化学活性の増加、海水を含む水から塩を除去する浄水、その他を含む石油化学製品に適用され得る。
【背景技術】
【０００２】
小宇宙（ｍｉｃｒｏｃｏｓｍ）条件においては、ド・ブロイ波が存在する「定常ボーア軌道（ｓｔａｔｉｏｎａｒｙ  Ｂｏｈｒ  ｏｒｂｉｔｓ）」があり、その態様は、光子の形の電磁エネルギー、及び原子の原子核の周りの自転の離散周波数を有する物体としての電子である。ド・ブロイ波は、分離型のエネルギーとして「定常ボーア軌道」に現れる。「定常波」の速度が光の速度に等しい場合は、このエネルギーの波長は、電子のコンプトン波長に等しい。
【０００３】
４６６．９７ｍ／ｓ以下の軌道電子回転速度においては、電子及びド・ブロイ波の「定常軌道」の新しい線スペクトルが大宇宙に現れる。任意の元素についての大宇宙の電子のボーア軌道の人工条件を作り出す場合に、ド・ブロイ波及び電子のエネルギーを交換することが可能になる。
【０００４】
現在の小宇宙においては、さまざまな種類のエネルギー間のパラメトリック共振の存在に必要な条件は、それらの整数周波数である。
【０００５】
したがって、大宇宙の「定常軌道」の条件に関して、ド・ブロイ波のエネルギー及び電子エネルギーが常に整数で位相が同じであるので、エネルギー間のパラメトリック共振が現れる１００％の可能性がある。
【０００６】
計算によって、次のパラメーターを含む、任意の元素の電子の大宇宙の条件に対する「定常ボーア軌道」の生成に必要な条件が確立された、すなわち、
−ｖ１＝４６６．９７５［ｍ／ｓ］は、大宇宙の最初の「定常軌道」における電子の周速度であり、
−Ｒｅｌ．１＝１．１６１４ｅ−３＊Ｎｅｌ．［ｍ］は、任意の元素についての大宇宙の最初の「定常軌道」の半径であり、ここで、Ｎｅｌ．は、メンデレーエフの周期表による元素の原子番号であり、
−ｖ２＊Ｒｅｌ．＝ｃｏｎｓｔ又は２５３．２６３８９９８＊Ｎｅｌ．［ｍ３／ｓ２］は、元素の電子の周速度の２乗と、対応する「定常波」のその円周の半径との積であり、その値は、任意の定常軌道に対して一定であり、メンデレーエフの周期表の特定の元素についてこの種の軌道の存在の不連続を決定し、
−ｎ１＝３．８３９５４５ｅ６／Ｎｅｌ．［ｒｐｍ］は、（任意の元素（ｎ１）についての大宇宙の最初の「定常軌道」の「ロータ（ｒｏｔｏｒ）」の大宇宙の）電子の回転数である。
【０００７】
従来技術は、さまざまな技術的問題を解決するように鉱物を励起させる方法を開示している。これらの方法は、機械化学の条件を満たす機械的振動源を用いて振動エネルギーを鉱物に伝達することを含む。
【０００８】
同様な励起方法及び励起手段が、分子レベルでの液体及び気体の化学結合の破壊的な変換を得るために適用された。現存する機械化学の欠点は、この種の処理のために共振周波数を選択するための正確な基準を提供しないことであり、それにより、効率の可能性が低減される。
【０００９】
液体の共鳴励起の方法があり（国際公開第０１／５８５８２号パンフレット）、これは、液体と相互作用する既知の機械的振動源による振動エネルギーの伝達を含む、分子レベルでその化学結合を破壊的に変化させるように液体に対する振動作用による結合水素を含み、いくつかの基本周波数は、経験的関係：Ｆ＝Ｆ１＊Ｎ−ｌ／２に従い、ここで、Ｎ≧１は、選択された整数であり、
Ｆ１＝６３．９９２４［ｋＨｚ］は、Ｎ＝１における基本発振周波数である。
【００１０】
機械的振動の回転源を用いた液体の共鳴励起を得るための前記方法は、処理されるべき液体をステータ内部で回転するインペラーの空洞に供給すること、その周面に均等に配置された出口開口部を通して周面で限られた環状チャンバ、インペラー、及びステータ（ｓｔａｔｏｒ）の内部同軸表面にインペラーの空洞から液体を、及び比率
ｎＲ＝１１６１４１Ｆ、
ここで、ｎ［１／ｓ］、
Ｒ［ｍ］は、インペラーの周面の半径である、
を条件として環状チャンバからの液体排液を排出することを含む。
【００１１】
液体の共鳴励起を得るための上記の方法は、ただ１つの元素（水素）についての選択を提供する。
【００１２】
特許番号ロシア特許第２２３２６３０号明細書から最も近い従来技術の方法は、酸素及び水素を含む液体の共鳴励起と液体振動エネルギーを伝達することによる分子レベルでのその化学結合の破壊的変化のための液体への振動効果とを含み、いくつかの特徴のある基本周波数のうちの少なくとも１つにおいて液体と相互作用する機械源振を使用するが、経験的関係
Ｆ１＝Ｆ０１Ｎ−１／２［ｋＨｚ］±（１２．５Ｎ−１）
ここで、５０≧Ｎ≧１は、選択された整数であり、
Ｆ０１＝７．９９９０５ｋＨｚは、Ｎ＝１における共鳴励起の周波数である、
に従って次の系列の基本周波数のうちの一周波数での液体の共鳴励起、ことを特徴としている。
【００１３】
特許番号第２２３２６３号明細書（特許権者Ｎ．Ｉ．Ｓｅｌｉｖａｎｏｖ）に従って上記の方法を実施するために、回転式流体力学源が機械的振動源として使用され、ステータ（ｓｔａｔｏｒ）内部で回転するインペラーの空洞に処理されるべき流体を提供し、次いでその周辺環状表面に均等に配置された一連の出口開口部を通してインペラーの空洞からのこの流体を放出する場合に、一方で液体は、インペラーの周辺環状表面及びステータの内側同軸表面で限られた環状チャンバに排出され、次いで、液体は、環状チャンバから回収チャンバに抜き取られるが、一方で液体の共鳴励起は、関係
ｎＲ１＝９．２９１２８Ｆ１［ｍ／ｓ］
ここで、ｎ［１／ｓ］は、インペラー回転周波数である、
で行われ、
Ｒ［ｍ］は、インペラーの周辺環状表面の半径である。
【００１４】
これらの方法及び装置の欠点は、それらの限定的な使用を含み、すなわち、２つの元素の場合は、水素及び酸素のみであり、酸素の励起は、水素の励起によってのみ行われる。メンデレーエフの周期表のすべての元素の励起を計算するアルゴリズムがないので、これらは、たとえば、鉱物の破壊の場合、又はガス物質の分離の場合は使用され得ない。
【００１５】
提案された装置の最も近い従来技術は、Ｍ．Ａ．Ｐｒｏｍｔｏｖの論文「Ｒｏｔａｒｙ  ｐｕｌｓｅ  ｄｅｖｉｃｅｓ  ａｎｄ  ｐｒｏｓｐｅｃｔｓ  ｆｏｒ  ｔｈｅｉｒ  ｕｓｅ（回転パルス装置及びその使用の見通し）」、ｈｔｔｐ：／／ｗｗｗ．ｔｓｔｕ．ｒｕ／ｒ．ｐｈｐ／ｒ＝ｓｔｒｕｃｔｕｒｅ．ｋａｆｅｄｒａ＆ｓｏｒｔ＝＆ｉｄ＝３（図１）、に開示されている回転パルス装置であり、この装置は、高度に分散されているエマルジョン及び懸濁液、溶解工程の強化、液体の物理化学パラメーターの変化、及びまた分子化合物の破壊を得るように異種液体に対してパルス動作を使用し、チャンネル（２）を持つロータ（ｒｏｔｏｒ）（１）、チャンネル（４）を持つステータ（ｓｔａｔｏｒ）（３）、ハウジング（５）、入口管（７）、及び出口管（８）を含む。
【００１６】
動作原理は、次の通りである。処理された液体は、入口管（７）を通してロータ（１）の空洞に供給され、ロータのチャンネル（２）、ステーターチャンネル（４）、ハウジング（５）によって形成される作動チャンバ、カバー（６）を通過し、出口管（８）を通して出て行く。ロータが回転すると、そのチャンネル（２）は、ステーターチャンネル（４）と周期的に組み合わされる。ステーターチャンネル（４）を離れると、液体は、作動チャンバに集められ、出口管（８）を通して排出される。ロータのチャンネル（２）がロータの空洞内のステータ（３）の壁によってブロックされる瞬間に圧力が増加し、これらのチャンネルが組み合わされると、圧力は、短時間の間に急激に減少し、結果として、圧力パルスが、ステータのチャンネル（４）に伝播し、次いで減圧の衝撃が発生する。ステーターチャンネル（４）に入る液体は、それらから出て行く傾向があり、慣性力が、液体に引っ張り応力を発生させ、それによりキャビテーションが生じる。
【００１７】
この装置の欠点は、メンデレーエフの周期表から任意の元素を選択的に励起するための計算アルゴリズムがないことである。
【発明の概要】
【００１８】
提案された技術的解決策が目的としている技術的問題は、大宇宙の物質中の任意の元素の「定常ド・ブロイ波」のエネルギーと対応する「ボーア軌道」の電磁エネルギーとのパラメトリック共振に必要な条件を提供する方法及び装置を開発することである。
【００１９】
提案された方法及び装置の技術的結果は、大宇宙の物質中の任意の元素の「定常ド・ブロイ波」のエネルギーと対応する「ボーア軌道」の電磁エネルギーとの間のパラメトリック共振に必要な特定の条件を作り出している。
【００２０】
問題を解決し、要求された技術的結果を達成するために、主要な実施形態に従って、ロータの内部空洞に物質を供給し、最初の物質についてその後の放出が処理された状態でロータの周辺環状表面上に均等に配置された溝を通してこれを通過させることによって、回転励起器（ｒｏｔａｒｙ  ｅｘｃｉｔｅｒ）を用いて物質中の元素の原子の「定常ド・ブロイ波」のエネルギーと対応するボーア軌道の電磁エネルギーとの間のパラメトリック共振を大宇宙で発生させるための提案された方法においては、大宇宙の最初の定常軌道の任意の元素の電子の周囲ロータ速度は、ｖ１＝４６６．９７５ｍ／ｓであるが、一方でパラメトリック共振は、周波数ｎ＝ｎ１／ｋ３／２［ｒｐｍ］で行われ、ここで、ｎ１は、任意の元素について最初の定常軌道の電子の回転数ｎ１＝３．８３９５４５ｅ６／Ｎｅｌ．［ｒｐｍ］であり、ｋは、ロータの放射状溝の数であり、Ｎｅｌ．は、物質中の元素の原子番号である。
【００２１】
ここで：
−物質の組成中の元素の原子番号は、メンデレーエフの周期表に従って決定され、
−物質は、任意の物理的状態（固体、液体、気体）にあってもよく、
−回転励起器の回転駆動のタイプは、必要とされる回転数によって決定され、機械的、電気的、又はもう１つのいずれかであってもよく、所与の回転数を与えるようにしておく。
【００２２】
大宇宙の物質中の任意の元素の原子の定常ド・ブロイ波のエネルギーと対応するボーア軌道の電磁エネルギーとのパラメトリック共振に必要な条件を作り出すことに関して与えられる問題により、人は単一の発明概念の枠組で提案された装置を用いて上記の方法を実施することができる。回転励起器を用いて物質からの任意の元素の原子の「定常ド・ブロイ波」のエネルギーと対応する「ボーア軌道」の電磁エネルギーとのパラメトリック共振を発生させるための装置は、シャフトに取り付けられたベース及び側壁を持つハウジングを含むが、一方でハウジングの内部空間は、ロータの外面に対して均等に配置された個々の溝の形で作られ、周辺環状壁は、装置から処理された物質を放出するための隙間、入口及び出口ノズル、所与の速度でロータを駆動するための手段を提供する。主要な実施形態によれば、ロータの外半径の値は、Ｒ＝Ｒｅｌ．１＊ｋであり、ここで、Ｒｅｌ．１は、元素の電子についての大宇宙の最初の定常軌道の半径（Ｒｅｌ．１＝１．１６１４ｅ−３＊Ｎｅｌ．［ｍ］であり、ここで、Ｎｅｌは、メンデレーエフの周期表による元素の原子番号であり、ｋは、ロータ溝の数であり、これは、式ｋ＝（ｎ１／ｎ）２／３によって計算され、最も近い整数値から選択され、ここで、ｎ１は、任意の元素の大宇宙の最初の定常軌道の電子回転数ｎ１＝３．８３９５４５е６／Ｎｅｌ．［ｒｐｍ］であり、ｎは、ロータ速度であり、放射状溝の幅は、式ｈ＝３．６４８６７７ｅ−３＊Ｎｅｌ．によって計算される。
【００２３】
装置のこの実施形態の場合は、パラメトリック共振は、大宇宙の物質中の任意の元素の原子の「定常ド・ブロイ波」のエネルギーと対応するボーア軌道の電磁エネルギーとの間で達成される。
【００２４】
提案された装置の好ましい実施形態によれば：
−ロータ（ｒｏｔｏｒ）の内半径（ｒ）は、推定的に設定され、
−ロータの外面とステータ（ｓｔａｔｏｒ）の周辺外壁との間の隙間のサイズは、消費された物質の制約を受けない離脱の可能性によって実行され、
−液体又は気体状態の物質を処理する場合は、回転励起器（ｒｏｔａｒｙ  ｅｘｃｉｔｅｒ）の密閉駆動装置が使用され、
−液体又は気体物質を処理する場合は、回転励起器の空間的向きは任意であり、
−固体を処理する場合、回転励起器の空間的向きは、垂直であることが好ましく、
−鉱物のサイズが回転励起器の溝の横断面よりも大きい場合は、それらは、ロータの外面とステータの周囲外面との間の隙間を通過することができ、
−放射状溝の高さ（Ｌ）は、励起された物質の最適な通過を確保できる可能性によって作られ、
−ロータの溝の深さは、外半径（Ｒ）と内半径（ｒ）との間の差によって決定される。
【００２５】
提案された方法の本質は、次に述べることに基づいている。
【００２６】
所与の元素の「電子軌道」を励起するために、回転運動は、回転励起器（ｒｏｔａｒｙ  ｅｘｃｉｔｅｒ）のある半径において所与の回転速度を持つ物質（固体、液体又は気体）の組成中のこの元素に対して設定される。元素においては、電子殻のエネルギーをＥ＝１３．６＊ｚ２ｅＶの値に励起するための条件が作り出され、ここで、ｚは、メンデレーエフの周期表による元素の原子番号である。殻の励起は、電子のイオン化をもたらし、これは、次には物質の化学結合のイオン化をもたらす。イオン化の発現は、次に述べることによって示される。すなわち、
−固体（鉱物）の場合：鉱物の化学結合の強制的な破壊があり、それにより鉱物構造の破壊がもたらされ、
−液体物質の場合：物質の化学結合の強制的な破壊／弱化があり、それにより、励起ゾーンを離れる場合に分子結合の破壊がもたらされ、
−気体の場合：ド・ブロイ波の正しい形成に必要な条件を作り出す場合に化学結合の破壊がある。
【００２７】
大宇宙の物質の組成からの元素の原子の「定常ド・ブロイ波」のエネルギーと対応する「ボーア軌道」の電磁エネルギーとのパラメトリック共振を発生させるための提案された方法は、その装置によって実施される。
【００２８】
添付の図は、大宇宙の物質からの元素の原子の「定常ド・ブロイ波」のエネルギーと対応する「ボーア軌道」の電磁エネルギーとの間のパラメトリック共振を発生させるための装置を示している。
【図面の簡単な説明】
【００２９】
【図１】大宇宙の物質からの元素の原子の「定常ド・ブロイ波」のエネルギーと対応する「ボーア軌道」の電磁エネルギーとのパラメトリック共振を発生させるための装置を通る垂直断面図である。
【図２】同じ装置の水平断面図である。
【発明を実施するための形態】
【００３０】
装置は、ベース１、側壁２を含む、標準回転駆動装置と共にシャフト３に取り付けられるロータを備えるが、一方でロータの内部空洞は、ロータの外面に対して均等に配置された中空セグメント４の形の溝、入口管５、出口管６、及び周辺環状壁８を含む。
【００３１】
出発物質（材料物体）に関して選択的に励起されるべき元素が特定される。物質中の励起される元素の原子番号が、メンデレーエフの周期表に従って確立される。ロータ溝幅ｈ＝３．６４８６７７ｅ−３＊Ｎｅｌ．が、計算される。次に、この設計の場合に最適であるロータの外半径（Ｒ）が、溝の数（ｋ）を選択することによって式Ｒ＝Ｒｅｌ．１＊ｋによって計算される。次いで、ロータの回転数が、溝の数（ｋ）及び励起された元素の原子番号（ｚ）を考慮して計算されるｎ＝ｎ１／ｋ３／２［ｒｐｍ］。ロータの内半径（ｒ）が、少なくとも１／２Ｒであると推定的に特定される。
【００３２】
入口管５を通して励起された元素（固体、液体、又は気体）を持つ物質は、中空セグメント４の形で作られるロータの内側（中空）部分に入り、これは、ロータの中央部からその周辺部への物質の通過を可能にする。遠心加速度による入ってくる物質は、励起生成物の出口ゾーン７に入り、排出される。
【００３３】
物質がロータの溝４を通過すると、ロータは、元素の化学結合の共鳴励起を経験し、すなわち、元素においては、その電子殻の励起に必要な条件が、値Ｅ＝１３．６＊ｚ２ｅＶまで作り出され、ここで、ｚは、元素のシリアル番号である。電子殻の励起は、それらのイオン化を生じ、それにより、次には物質中のこの元素の化学結合の励起がもたらされる。
【００３４】
物質のさまざまな物理的状態の前記イオン化は、次の通りである。
【００３５】
固体、特に鉱物の場合、破壊は、顕微鏡観察レベルで進行し始め、破壊元素と鉱物との接触領域で最初に発生し、滑動面に沿った微小割れ又は剪断、あるいは結晶自体の化学結合の破れとなって鉱物（結晶）の粒子間の結合の破壊を伴う。次いで、プロセスは、巨視的破壊に入り、その領域は、約１０ｍｍ以上に達し、これは、大量の鉱物の連続を分裂させる微小割れを伴う。鉱物の大量破壊は、低いエネルギーコストが必要とされるので、最も効果的である。
【００３６】
液体物質の場合：物質の化学結合の強制的な破壊又は弱化は、励起ゾーンを離れる場合に局所的な励起ゾーンの出現、あるいは励起された元素の化学結合の分子内規則性、すなわち物質の元の分子の破壊をもたらす。
【００３７】
気体の場合：イオン化は、励起ゾーンを離れる場合に特定の励起された元素の合成が可能であり、すなわち、さまざまな気体の成分の一定の化合物の合成がある。
【００３８】
この場合は、物質の自転中の所与の半径に固有のド・ブロイ波の正しい形成に必要な生成条件を確保することが必要であり、これはまた、溝の幅（ｈ）及び数（ｋ）によって決定される。
【００３９】
実験的決定及び試験
ロータパラメータの計算、及び、たとえばシリコン原子のパラメトリック励起について、その実施のための提案された方法及び装置の実験的試験の結果を考慮しなさい。
【００４０】
シリコン原子のエネルギーのパラメトリック励起のためのロータ形状の計算：
１．回転励起器（ｒｏｔａｒｙ  ｅｘｃｉｔｅｒ）のパラメーターの計算：
シリコンＮｅｌ．は、メンデレーエフの周期表によれば１４である。
【００４１】
ロータ速度ｎは、（ロータが取り付けられている場合に装置駆動（周波数５０Ｈｚの３相電動機）の回転数によって設定される）約３０００ｒｐｍである。
【００４２】
次いで、溝の数が、次の通り計算される。すなわち、
ｋ＝（ｎ１／ｎ）２／３＝２０．２９３４。
【００４３】
最も近い整数２１が、計算の基礎として使用される。
【００４４】
ｋ＝２１におけるロータの要求される回転数は、
ｎ＝２．７４２５３２ｅ５／２１３／２＝２８５０ｒｐｍ
である。
【００４５】
ロータの外半径は、
Ｒ＝Ｒｅｌ．１＊２１＝３．４１４５４５ｅ−１［ｍ］、ロータの外径＝６．８２９０９０ｅ−１［ｍ］
であることになる。
【００４６】
溝の高さ（Ｌ）は、装置の設計によって決定され、溝の深さは、ロータの外半径（Ｒ）と内半径（ｒ）との間の差として決定されるが、一方で、
ｒ＝１／２Ｒ
である。
【００４７】
ロータ溝幅ｈ＝３．６４８６７７＊１４＝５１．０８［ｍｍ］
【００４８】
パラメトリックエネルギー共振の領域は、図２において７として示されている。
【００４９】
パラメトリック励起のための最大画分サイズは、装置の設計によって決定される。
【００５０】
液体及び気体物質中の元素の原子を励起するために、周壁としてこれらの物質と共にタンク、パイプラインの外殻を使用することができる。
【００５１】
発明の例示的な実施形態
石英（ＳｉＯ２）の研削が、上記のパラメーターでロータに対して行われた。エクスプレス分析データが、表１に与えられている。
【表１】
2020530812.tif 000002
【００５２】
エクスプレステストは、ロータを通る石英の単一パス直後に、４５ミクロン未満の破壊された石英画分が総重量の４５．７％に達したことを示しており、したがって、鉱物の破壊のパラメトリック共振が、明らかに観察される。
【００５３】
実験的試験によって示されているように、提案された装置設計により、＋０．２ｍｍの画分の石英（ＳｉＯ２）の単一パスは＋１００から−４５ミクロンの画分までこれを破壊することができる。２０から５０ｍｍの画分は、３０重量％の量で５０ミクロンに関して破壊される。内部の金属部分の機械的破壊（摩耗）は、ほとんど存在しない。３０００ｋｇ／ｈの石英研削は、３０ｋＷ／ｈの電力しか必要としない。
【００５４】
発明の例示的な実施形態
例Ｉ．パラメトリック硫黄励起のロータ形状の計算：
硫黄のＮｅｌ．は、メンデレーエフの周期表によれば１６である。
【００５５】
ロータ速度ｎは、（ロータが取り付けられている場合に装置駆動（周波数５０Ｈｚの３相電動機）の回転数によって設定される）約３０００ｒｐｍである。
【００５６】
次いで、溝の数は、次の通り計算される。すなわち、
ｋ＝（ｎ１／ｎ）２／３＝１８．５６５。
【００５７】
最も近い整数１９が、計算の基礎として使用される。
【００５８】
ｋ＝１９におけるロータの要求される回転数は、
ｎ＝２．３９９７１６ｅ５／１９３／２＝２８９８ｒｐｍ
である。
【００５９】
ロータの外半径は、
Ｒ＝Ｒｅｌ．１＊１９＝３．５３ｅ−１［ｍ］、ロータの外径＝７．０６ｅ−１［ｍ］
であることになる。
【００６０】
溝の高さ（Ｌ）は、装置の設計によって決定され、溝の深さは、ロータの外半径（Ｒ）と内半径（ｒ）との間の差として決定されるが、一方で、
ｒ＝１／２Ｒ
である。
【００６１】
ロータ溝幅ｈ＝３．６４８６７７＊１６＝５８．３８［ｍｍ］
【００６２】
追加条件がド・ブロイ波の適切な形成に必要とされることに留意されたい。
【産業上の利用可能性】
【００６３】
提案された技術的解決策の実際の応用が、提案された装置を用いていくつかの方向で試験されている。
【００６４】
１．原油の流動性を変化させると、次の結果が得られた。
−粘度及び密度の低下、
−軽油製品の収量を増やし、精製所を８〜１５％だけ運転し、
−燃料油及び流動点の粘度を下げ、
−硫黄除去に基づく「酸性」燃料油の包括的な無駄のない処理、
−均一な水燃料エマルジョンの製造、
−「トラップ」油及び燃料油の脱水（汚泥掻き寄せ機）、
−石油及び燃料油の硫黄含有量の百分率の減少、
−直留ガソリンのオクタン価の増加、
−石炭の微粉砕。
【００６５】
２．パラメトリック共振にさらされた場合の鉱物の破壊：
−鉱物の結晶格子の選択的破壊、
−鉱物の組成からの元素の乾燥濃縮。
【００６６】
将来有望な分野の調査：
−電子殻（Ｈ、Ｃ、Ｓ）の選択的励起の効果に基づく精油所の設計、
−直留ガソリンのオクタン価の増加、
−石炭の液化。
【図１】
2020530812.tif 000003
【図２】
2020530812.tif 000004